(57)【要約】【課題】変速時の回転変化の速い運転状態においても、実バルブタイミングの制御目標値へ追従遅れによるバルブオーバーラップ量の増加を抑制し、排気の吹き戻しによる騒音発生を防止する。【解決手段】２速から３速へのアップシフトが可と判断されて変速指令が出力されると、エンジン回転数が大きく変化すると共にバルブタイミングの制御目標値が変速時の回転変化に対応した値に変更される。このとき、通常のバルブタイミング制御のままであると、制御目標値に対して可変バルブタイミング機構が機械的に追従できず、実バルブタイミングの遅れが発生して実際のバルブオーバーラップ量が大きくなり、排気の吹き戻しが増加して振動音が発生してしまう。従って、制御目標値を予め設定したガード値で制限することで、バルブオーバーラップ量の増加による排気の吹き戻しを抑制し、騒音の発生を回避する。【選択図】図３
2013185464.tif 000002
【特許請求の範囲】
【請求項１】
クランク角に対するカム角の回転位相を進角又は遅角させてバルブタイミングを可変する可変バルブタイミング機構を備えたエンジンと、該エンジンの出力軸に連結された変速機とを有する車両の制御装置であって、
前記変速機の変速時の前記エンジンの回転数と吸入空気量とに基づいて、変速時の運転領域が騒音発生領域を通過するか否かを判断する騒音発生領域判断部と、
変速時の運転領域が前記騒音発生領域を通過すると判断されたとき、前記バルブタイミングの制御目標値を予め設定したガード値で制限するバルブタイミング制限部と
を備えることを特徴とする車両の制御装置。
【請求項２】
更に、前記変速機の変速可を判断してから所定のディレイ時間を持って変速指令を出力する変速ディレイ部を備えることを特徴とする請求項１記載の車両の制御装置。
【請求項３】
前記騒音発生領域判断部は、前記変速機の変速段のアップシフト時に前記騒音発生領域を通過するか否かを判断することを特徴とする請求項１又は２記載の車両の制御装置。
【発明の詳細な説明】
【技術分野】
【０００１】
本発明は、可変バルブタイミング機構を備えたエンジンと、該エンジンの出力軸に連結された変速機とを有する車両の制御装置に関する。
【背景技術】
【０００２】
近年、エンジンのクランク軸とカム軸との間の回転位相を可変する可変バルブタイミング機構システムを備えたエンジンが実用化されており、エンジン運転状態に応じて吸気バルブと排気バルブとの少なくとも一方のバルブタイミングを連続的に変更することができる。
【０００３】
このような可変バルブタイミング機構を有するエンジンでは、従来のエンジンに比較して排気バルブの閉時期と吸気バルブの開時期とを調整してバルブオーバーラップ量を可変することが容易であり、運転状態に応じて最適なバルブオーバーラップ量を維持しつつ、排気ガスの吹き返しによる振動音を抑制することができる。
【０００４】
例えば、特許文献１には、スロットルバルブが閉じられるとき、排気バルブの開閉時期を制御範囲内の最進角位置に制御すると共に、吸気バルブの開閉時期を制御範囲内の最遅角位置に制御することで、排気ガスの吹き返しによる振動音を有効に抑制することのできる技術が開示されている。
【先行技術文献】
【特許文献】
【０００５】
【特許文献１】特開２０１０−８４７３０号公報
【発明の概要】
【発明が解決しようとする課題】
【０００６】
しかしながら、特許文献１の技術は、減速時等のアクセルオフの運転状態に対応するものであり、スロットルバルブが開いている通常の運転状態において、変速時のようなエンジン回転数が大きく変化する状態には対応することができない。
【０００７】
すなわち、変速の進行に伴ってエンジン回転数が大きく変化するよう状態では、変速によるエンジン回転数の変化が速いため、可変バルブタイミング機構が機械的に追従することができず、制御目標値に対して実際のバルブタイミングが遅れて変化し、目標のバルブタイミングと異なる状態で制御されることになる。このため、結果的にバルブオーバーラップ量が増加してしまい、排気の吹き戻しによって吸気系が加振され、騒音（振動音）が発生してしまう。
【０００８】
これを回避するためには、基本となるバルブタイミングを、変速時のような過渡時も考慮した設定にすることが考えられるが、その場合、定常状態のときに最適なバルブタイミングとすることができず、排気ガスエミッションの悪化やエンジン出力の低下を招いてしまう。
【０００９】
本発明は上記事情に鑑みてなされたもので、変速時の回転変化の速い運転状態においても、実バルブタイミングの制御目標値へ追従遅れによるバルブオーバーラップ量の増加を抑制し、排気の吹き戻しによる騒音発生を防止することのできる車両の制御装置を提供することを目的としている。
【課題を解決するための手段】
【００１０】
本発明による車両の制御装置は、クランク角に対するカム角の回転位相を進角又は遅角させてバルブタイミングを可変する可変バルブタイミング機構を備えたエンジンと、該エンジンの出力軸に連結された変速機とを有する車両の制御装置であって、前記変速機の変速時の前記エンジンの回転数と吸入空気量とに基づいて、変速時の運転領域が騒音発生領域を通過するか否かを判断する騒音発生領域判断部と、変速時の運転領域が前記騒音発生領域を通過すると判断されたとき、前記バルブタイミングの制御目標値を予め設定したガード値で制限するバルブタイミング制限部とを備えるものである。
【発明の効果】
【００１１】
本発明によれば、変速時の回転変化の速い運転状態においても、実バルブタイミングの制御目標値へ追従遅れによるバルブオーバーラップ量の増加を抑制することができ、排気の吹き戻しによる騒音発生を防止することができる。
【図面の簡単な説明】
【００１２】
【図１】パワーユニット制御系の概略構成図
【図２】可変バルブタイミング機構の概略構成図
【図３】可変バルブタイミングに対するガード制御を示す説明図
【図４】可変バルブタイミングのガード制御と変速ディレイ制御を示す説明図
【図５】変速時の騒音防止処理に係る機能ブロック図
【図６】変速時可変バルブタイミング制御処理のフローチャート
【図７】変速判定処理のフローチャート
【図８】変速中情報送信処理のフローチャート
【図９】変速ディレイ制御処理のフローチャート
【発明を実施するための形態】
【００１３】
以下、図面を参照して本発明の実施の形態を説明する。  
図１において、符号１は、図示しない自動車等の車両に搭載されるエンジンであり、このエンジン１の出力側に変速機２が連設されている。エンジン１は、クランク軸とカム軸との間の回転位相を進角又は遅角させてバルブタイミングを可変する可変バルブタイミング機構を備えている。本実施の形態においては、可変バルブタイミング機構として、吸気カム軸のクランク軸に対する回転位相（変位角）を連続的に可変して吸気バルブの開閉タイミングを変更する吸気側の可変バルブタイミング機構と、排気カム軸のクランク軸に対する回転位相を連続的に可変して排気バルブの開閉タイミングを変更する排気側の可変バルブタイミング機構とを備えている。
【００１４】
吸気側の可変バルブタイミング機構と排気側の可変バルブタイミング機構とは、同様の構成であり、周知の油圧駆動式可変バルブタイミング機構を採用している。概略的には、図２に示すように、可変バルブタイミング機構５０は、吸気側或いは排気側のカムプーリに一体回転可能に連結されるハウジング５０ａ内に、カム軸の先端部に取付られたロータ５１を収納して構成されている。このような構成による可変バルブタイミング機構５０は、ハウジング５０ａ内のロータ５１を油圧によって相対回転させることにより、カムプーリに対するカム軸の相対回転位相を変化させ、吸気バルブ或いは排気バルブのバルブタイミングを変更する。
【００１５】
具体的には、ハウジング５０ａに形成される扇状空間部に、ロータ５１に設けられたベーン５１ａが回動自在に収納されている。各扇状空間部は、ベーン５１ａによって進角室（進角作動の油圧室）５２ａと遅角室（遅角作動の油圧室）５２ｂとに区画され、それぞれ、進角用油圧通路５３、遅角用油圧通路５４を介してカム角制御弁６０に接続されている。
【００１６】
カム角制御弁６０は、エンジン１のオイルパンからオイルポンプ及びチェックバルブ５５を介して油圧を供給するメイン油圧通路５６のポート、進角用油圧通路５３，遅角用油圧通路５４の各ポート、ドレイン通路５７のポート等を切り換える制御弁であり、可動子６１ａを有する電磁ソレノイド６１と、この電磁ソレノイド６１により進退駆動されて各ポートを開閉するスプール弁６２とで構成されている。スプール弁６２は、ロータ５１の中央部に配設されたスリーブ６３内に、各ポートを切り換えるスプール６４と、このスプール６４を電磁ソレノイド６１の可動子６１ａに当接する方向に付勢するスプリング６５とを収容して構成されている。
【００１７】
カム角制御弁６０は、エンジン１を制御するエンジン制御ユニット１００によってデューティ制御され、電磁ソレノイド６１の可動子６１ａを介してスプール弁６２のスプール６４を進退駆動することにより、各ポートが切り換えられる。すなわち、デューティ制御のデューティ比に応じて電磁ソレノイド６１の通電電流が増減され、電磁ソレノイド６１の可動子６１ａを介してスプール弁６２のスプール６４が軸方向に移動すると、メイン油圧通路５６、進角用油圧通路５３、遅角用油圧通路５４の各ポートが切換えられ、オイルの流れ方向が切り換えられると共にパッセージの開度が調整される。その結果、進角室５２ａ、遅角室５２ｂに供給される油圧の大きさが調整され、吸気弁や排気弁の開閉タイミングが進角或いは遅角側に制御される。
【００１８】
尚、図２においては図示を省略しているが、可変バルブタイミング機構５０には、エンジンの始動時等、油圧の低い状態においてバルブタイミングを所定のタイミングに固定すべく、カム軸の回転位相を所定のタイミングに対応する位相にてロックするロック機構が設けられている。
【００１９】
一方、変速機２は、エンジン１の出力軸にトルクコンバータを介して連結される主変速機構を有し、トルクコンバータや主変速機を油圧制御するための油圧制御部２ａを一体的に備えた自動変速機である。変速機２の主変速機構には、前進・後退の切換や変速切り換えを行うための各種油圧クラッチや各種油圧ブレーキ等からなるクラッチ機構部やプラネタリギヤ等が備えられ、油圧制御部２ａは、トルクコンバータや主変速機構の各部へのライン圧やパイロット圧を制御するソレノイド弁等の各種制御アクチュエータを一体的に備えている。
【００２０】
エンジン１及び変速機２を中心とするパワーユニット系は、それぞれ、エンジン制御ユニット１００、変速機制御ユニット１５０によって制御される。これらの制御ユニット１００，１５０は、マイクロコンピュータを中心として入出力回路やタイマ・カウンタ等の周辺回路を備える電子制御ユニットであり、例えばＣＡＮ（Controller Area Network）等の通信プロトコルに基づく車内ネットワーク２００に接続されている。尚、車内ネットワーク２００には、エンジン制御ユニット１００、変速機制御ユニット１５０の他、車両制御や情報通信系の複数の制御ユニット（図示せず）が接続されており、センサによって検出したデータや演算データ等の情報をネットワークに送出して互いに情報交換を行うように構成されている。
【００２１】
エンジン制御ユニット（以下、「ＥＣＵ」と記載）１００は、エンジン１の吸入空気量を検出する吸入空気量センサ３、クランク軸の回転角を検出するクランク角センサ４、吸気カムの回転角を検出する吸気カム角センサ５、排気カムの回転角を検出する排気カム角センサ６、アクセルペダルの踏み込み量（アクセル開度）を検出するアクセル開度センサ７、その他、図示しない各種センサ類・スイッチ類等からの信号、車内ネットワーク２００を介して取得した制御情報に基づいて、燃料噴射制御、点火時期制御、スロットル制御、バルブタイミング制御等のエンジン制御を行う。
【００２２】
ＥＣＵ１００によるバルブタイミング制御においては、エンジン負荷（例えば、吸入空気量等）とエンジン回転数とに基づいて、吸気カム軸及び排気カム軸の回転位相の各制御目標値である目標バルブタイミングを設定すると共に、クランク角センサ４からの信号に基づくクランク軸の実際の回転角と、吸気カム角センサ５からの信号及び排気カム角センサ６からの信号に基づく吸気カム軸，排気カム軸の実際の回転角との位相差である実バルブタイミングを算出する。そして、実バルブタイミングが目標バルブタイミングに収束するよう、吸気側と排気側とのそれぞれのカム角制御弁６０をデューティ制御により駆動し、可変バルブタイミング機構５０をフィードバック制御する。
【００２３】
また、変速機制御ユニット（以下、「ＴＣＵ」と記載）１５０は、変速機出力軸の回転数を検出する変速機出力軸回転センサ８等の変速機２の運転状態を検出するセンサ類、ドライバの操作（レンジ位置）を検出するセンサ類からの信号、車内ネットワーク２００を介して取得した制御情報に基づいて、変速機２のトルクコンバータのロックアップ制御（ロックアップクラッチの締結・スリップ・解放）や主変速機構の変速制御を油圧制御部２ａの制御アクチュエータを介して実行する。
【００２４】
ＴＣＵ１５０による変速制御においては、主として、変速機出力軸回転センサ８の信号と、ＥＣＵ１００から車内ネットワーク２００を介して入力したアクセル開度とに基づいて変速タイミングを演算し、アップシフトやダウンシフトの判定を行う。そして、その判定結果に基づき、油圧制御部２ａの制御アクチュエータを介して変速処理を実行する。
【００２５】
ここで、変速機２の変速時にエンジン回転数が大きく変化すると、ＥＣＵ１００によるバルブタイミング制御の目標値への指示に対して可変バルブタイミング機構５０が機械的に追従できない場合がある。この可変バルブタイミング機構５０の応答遅れにより、吸気バルブと排気バルブとのオーバーラップ量が制御目標値によるオーバーラップ量より大きくなる領域が発生し、排気側の圧力が吸気側に戻されて吸気系を加振し、騒音が発生してしまう。特に、変速段のアップシフトの場合には、ダウンシフトの場合のように暗騒音が大きくないため、吸気系の加振による振動音が目立ってしまい、運転者に不快感を与える虞がある。
【００２６】
このため、ＥＣＵ１００及びＴＣＵ１５０によるパワーユニット制御系においては、図５に示す各機能部により、変速中の排気の吹き戻しの発生を低減し、振動音の発生を防止する。具体的には、ＥＣＵ１００による騒音発生領域判断部１０１及びバルブタイミング制限部１０２、ＴＣＵ１５０によるバルブタイミング追従判断部１５１及び変速ディレイ部１５２により、変速時の騒音防止処理に係る機能が構成される。この変速時騒音防止処理に係る機能により、変速中に可変バルブタイミング機構５０の追従が遅れる運転領域を通過することが予想される場合、バルブタイミングの制御目標値を予めバルブオーバーラップ量が少なくなる値で制限することで、変速中の排気の吹き戻しの発生を低減し、振動音の発生を防止する。
【００２７】
詳細には、ＥＣＵ１００側の機能として、騒音発生領域判断部１０１は、ＴＣＵ１５０から変速中の情報を車内ネットワーク２００を介して入力（受信）し、変速に伴うエンジン回転数の変化が、排気吹き戻しによる振動音の発生領域（騒音発生領域）を横切るか否かを判断する。本実施の形態においては、騒音発生領域を横切るか否かは、変速開始時のエンジン回転数と吸入空気量とに基づいて判断し、エンジン回転数が設定範囲内にあり、且つ吸入空気量が設定量以上のとき、騒音発生領域を通過すると判断する。
【００２８】
また、ＥＣＵ１００のバルブタイミング制限部１０２は、騒音発生領域を通過すると判断された場合、可変バルブタイミング機構５０の進角値（バルブタイミング制御量）の制限を吸気側と排気側との各々に対して行う。この進角値の制限は、図３に示すように、制御目標値が予め決めた進角値（ガード値）を超える場合、実バルブタイミングがガード値を超えないように制御するガード制御である。
【００２９】
図３においては、変速機２の変速段が２速（2nd）から３速（3rd）へアップシフトする際のバルブタイミングのガード制御を示しており、ＴＣＵ１５０にて現在の変速段から目標変速段へのアップシフト（２速→３速へのアップシフト）が可と判断されると、この変速可の判断と共に、油圧制御部２ａの制御アクチュエータに対して２速から３速への変速指令（２−３変速指令）が出力される。この変速指令の出力に伴い、エンジン回転数が大きく変化（低下）するとともに、可変バルブタイミング機構５０を介した吸気バルブ及び排気バルブのバルブタイミングの制御目標値が変速時の回転変化に対応した値に制限される。尚、バルブタイミングの制御目標値は、後述するようにマップを用いて設定され、マップ値を補間演算して得られる値である。
【００３０】
このとき、図３に破線で示すように、制御目標値への通常のバルブタイミング制御のままであると、制御目標値に対して可変バルブタイミング機構５０が機械的に追従できず、実バルブタイミングの遅れが発生する。その結果、騒音発生回転領域において、吸気側及び排気側の制御目標値によるバルブオーバーラップ量よりも実際のバルブオーバーラップ量が大きくなり、排気の吹き戻しが増加して振動音が発生してしまう。
【００３１】
従って、図３に示すように、制御目標値に対して相対的にオーバラップ量が小さくなるようなガード値を予め設定しておき、吸気側及び排気側の実バルブタイミングがガード値で制限がかかるように制御することで、バルブオーバーラップ量の増加による排気の吹き戻しを抑制し、騒音の発生を回避する。吸気側及び排気側のガード値は、排気の吹き戻しによる振動音を実用上無視できるレベルに抑制可能なバルブオーバーラップ量を実現する値であり、可変バルブタイミング機構５０の応答特性やエンジン特性を考慮して予め実験或いはシミュレーション等によって設定されている。
【００３２】
この場合、変速機２の変速判断からエンジン回転数が騒音の発生領域に到達するまでには、可変バルブタイミング機構５０がガード値相当まで追従して作動する必要がある。従って、ＴＣＵ１５０側の機能として、変速判断と同時に変速指令を出力して変速動作を行わせたときにエンジン回転数の変化が早く、実際のバルブタイミングの応答が間に合わないと判断される場合には、変速判断から実際の変速処理の開始までにディレイ時間を設けることで、可変バルブタイミング機構５０のガード値相当までの作動に時間的な余裕を与える。
【００３３】
詳細には、ＴＣＵ１５０のバルブタイミング追従判断部１５１は、変速判断から騒音の発生領域に至るまでの時間と可変バルブタイミング機構５０のガード値相当までの作動時間とを比較する。変速判断から騒音の発生領域に至るまでの時間は、車速や変速機２の出力軸回転数に応じて決定される時間であり、また、可変バルブタイミング機構５０のガード値相当までの作動時間は、可変バルブタイミング機構５０の応答特性から予め決定される時間である。これらの時間の比較結果、可変バルブタイミング機構５０の追従時間よりも騒音の発生領域に至る時間の方が短いと判断したときには、変速判断から所定のディレイ時間経過に実際の変速処理が開始されるように変速ディレイ部１５２に指示する。
【００３４】
変速ディレイ部１５２は、騒音発生領域判断部１０１で騒音発生領域を通過すると判断され、且つバルブタイミング追従判断部１５１で可変バルブタイミング機構５０の追従時間よりも騒音の発生領域に至る時間の方が短いと判断されたとき、図４に示すように、変速機２の変速判断から所定のディレイ時間を持って変速指令を出力する。すなわち、現在の変速段から目標変速段へのアップシフト（２速→３速へのアップシフト）が可と判断されると、この変速可の判断から所定のディレイ時間が経過した後に、２速から３速への変速指令（２−３変速指令）が出力される。
【００３５】
この変速判断から変速指令が出力されるまでのディレイにより、可変バルブタイミング機構５０の作動によるバルブタイミングがガード値に確実に制限されたときに、騒音発生回転領域に達するようにタイミングをずらすことができ、変速時間の延長による違和感を与えることなく、騒音の発生を確実に回避することができる。
【００３６】
尚、騒音発生領域を通過すると判断された場合、バルブタイミング追従判断部１５１による判断を行うことなく、変速判断から変速指令を出力するまでに必ずディレイ時間を設けるようにしても良い。
【００３７】
以上のパワーユニット系の変速時騒音防止処理に係る機能は、具体的には、図６〜図９のフローチャートに示すプログラム処理として実現される。以下、図６〜図９のフローチャートを用いて各処理を説明する。
【００３８】
図６のフローチャートは、ＴＣＵ１５０からの変速情報を受信してＥＣＵ１００にて実行される変速時のバルブタイミング制御処理を示している。このバルブタイミング制御処理は、先ず、ステップＳ１において、吸気側、排気側のそれぞれの可変バルブタイミング機構５０に対するバルブタイミングの制御目標値をマップ参照により設定する。制御目標値のマップは、例えば、エンジン負荷とエンジン回転数を軸として構成され、吸気側のマップと排気側のマップのそれぞれを補間演算付きで参照して各制御目標値を設定する。
【００３９】
次いでステップＳ２へ進み、ＴＣＵ１５０から車内ネットワーク２００を介してアップシフトへの変速中の情報を受信したか否かを調べる。変速中の情報を受信していない場合には、ステップＳ２から本処理を抜け、ステップＳ２でアップシフトへの変速中の情報を受信した場合、ステップＳ３，Ｓ４で、それぞれ、エンジン回転数Ｎｅが設定範囲（例えば、４０００〜４４００ｒｐｍの範囲）内か否か、吸入空気量Ｑａが設定量Ｑset以上か否かを調べる。
【００４０】
その結果、ステップＳ３においてエンジン回転数Ｎｅが設定範囲内でない場合、或いはステップＳ４において吸入空気量Ｑａが設定量Ｑset未満の場合には、変速時の運転領域が騒音発生領域を通過しないと判断して本処理を抜ける。この場合のバルブタイミング制御は、バルブタイミングを制御目標値に一致させる通常の制御として実行される。
【００４１】
一方、ステップＳ３においてエンジン回転数Ｎｅが設定範囲内、且つステップＳ４において吸入空気量Ｑａが設定量以上の場合には、騒音発生領域を通過すると判断してステップＳ５へ進み、吸気側のバルブタイミング制御量（進角値）ＶＴinが吸気側ガード値ＶＴＧin以上か否かを調べる。そして、ＶＴin≧ＶＴＧinの場合には、そのままステップＳ７へ進み、ＶＴin＜ＶＴＧinの場合、ステップＳ６で吸気側進角値ＶＴinが吸気側ガード値ＶＴＧinを超えないように制限し（ＶＴin＝ＶＴＧin）、ステップＳ７へ進む。
【００４２】
ステップＳ７では、排気側のバルブタイミング制御量（進角値）ＶＴexが排気側ガード値ＶＴＧex以上か否かを調べる。そして、ＶＴex≧ＶＴＧexの場合には、本処理を抜け、ＶＴex＜ＶＴＧexの場合、ステップＳ８で排気側進角値ＶＴexが排気側ガード値ＶＴＧexを超えないように制限し（ＶＴex＝ＶＴＧex）、本処理を抜ける。
【００４３】
尚、ステップＳ３，Ｓ４による騒音発生領域の判断結果は、車内ネットワーク２００を介してＴＣＵ１５０にも情報が伝達される。
【００４４】
次に、ＴＣＵ１５０で実行される変速判定処理、変速中情報送信処理、及び変速ディレイ制御処理について、図７，図８，図９のフローチャートを用いて説明する。
【００４５】
図７に示す変速判定処理は、最初のステップＳ１１において、アクセル開度センサ７によって検出したアクセル開度を読み込み、ステップＳ１２で変速機出力軸回転センサ８によって検出した変速機２の出力軸回転数を読み込む。そして、ステップＳ１３でアクセル開度と出力軸回転数とから演算される変速タイミングでのアップシフトが可能か否かを判断する。
【００４６】
その結果、ステップＳ１３において、アップシフト不可と判断された場合には、ステップＳ１４でアップシフト実行フラグをクリアして本処理を抜け、アップシフト可と判断された場合、ステップＳ１５でアップシフト実行フラグをセットする。アップシフト実行フラグは、アップシフトの実行を指示するフラグであり、フラグセットでアップシフト実行、フラグクリアでアップシフト非実行を示している。
【００４７】
ステップＳ１５でアップシフト実行フラグがセットされた場合、ステップＳ１５からステップＳ１６へ進み、変速ディレイが必要な領域か否かを調べる。変速ディレイが必要な領域か否かは、ＥＣＵ１００から送信された騒音発生領域の判断結果、アップシフト可の判断から騒音の発生領域に至るまでの時間が可変バルブタイミング機構５０によるバルブタイミングがガード値相当となるまでの追従時間よりも短い領域か否かの判定結果に応じて決定する。
【００４８】
ステップＳ１６において、変速ディレイが必要な領域でないと判定された場合には、ステップＳ１７で変速ディレイの実行を指示する変速ディレイ実行フラグをクリアし（変速ディレイ非実行）、本処理を抜ける。一方、変速ディレイが必要な領域であると判定された場合には、ステップＳ１６からステップＳ１８へ進んで変速ディレイ実行フラグをセットし、ステップＳ１９で変速ディレイ時間（カウント値）を０に初期化して本処理を抜ける。この場合には、アップシフト可の判断から変速指令を出力するまでに所定のディレイ時間を設けることになる。
【００４９】
以上のアップシフト実行フラグによる変速中か否かの情報は、図８のフローチャートに示す変速中情報送信処理により、車内ネットワーク２００を介してＥＣＵ１００に送信される。
【００５０】
すなわち、図８の変速中情報送信処理では、最初のステップＳ２１でアップシフト実行フラグがセットされているか否かを調べ、アップシフト実行フラグがセットされていない場合には、ステップＳ２２で変速中情報を「非変速中」にセットし、アップシフト実行フラグがセットされている場合、ステップＳ２３で変速中情報を「変速中」にセットする。そして、変速中情報をセットした後はステップＳ２４へ進み、変速中情報を車内ネットワーク２００を介してＥＣＵ１００に送信する。
【００５１】
次に、図９のフローチャートに示す変速ディレイ制御処理について説明する。この変速ディレイ制御処理では、最初のステップＳ３１において、アップシフト実行フラグがセットされているか否かを調べる。
【００５２】
そして、アップシフト実行フラグがセットされていない場合には、ステップＳ３１からステップＳ３２へ進み、変速機２の油圧制御部２ａへの変速指令を、変速制御アクチュエータを介して変速段を定常変速段の状態に保持する指令として、本処理を抜ける。一方、アップシフト実行フラグがセットされている場合には、ステップＳ３１からステップＳ３３へ進み、変速ディレイ実行フラグがセットされているか否かを調べる。
【００５３】
ステップＳ３３において、変速ディレイ実行フラグがセットされている場合、ステップＳ３４へ進み、変速ディレイ時間（カウント値）が設定値に達しているか否かを調べる。そして、変速ディレイ時間が設定値未満の場合、ステップＳ３５で変速ディレイ時間をインクリメントし、ステップＳ３６で変速機２の変速段を変速前の変速段の状態に保持させたまま、本処理を抜ける。その後、変速ディレイ時間が設定値に達すると、ステップＳ３４からステップＳ３７へ進み、変速機２の変速段を、変速制御アクチュエータを介してアップシフト状態とする変速指令を出力し、本処理を抜ける。
【００５４】
一方、ステップＳ３３において変速ディレイ実行フラグがセットされていない場合、すなわち、アップシフト実行フラグがセットされているものの、変速ディレイ実行フラグはセットされていない場合には、ステップＳ３３からステップＳ３８へ進む。この場合は、変速時に騒音発生領域を通過しない、或いはバルブタイミングのガード制御のみで騒音を抑制可能なため、ステップＳ３８で変速機２の変速段を変速制御アクチュエータを介してアップシフト状態とする変速指令を出力し、本処理を抜ける。
【００５５】
このように本実施の形態においては、変速中に可変バルブタイミング機構５０の追従が遅れる領域を通過することが予想される場合、バルブタイミングを予めバルブオーバーラップ量が少なくなるガード値で制限するため、バルブオーバーラップ量の増加を抑制して排気の吹き戻しによる騒音発生を防止することができる。
【００５６】
また、変速判断から実際の変速処理の開始までにディレイ時間を設けることで、可変バルブタイミング機構５０の作動によるバルブタイミングがガード値に確実に制限されたときに、騒音発生回転領域に達するようにタイミングをずらすことができ、騒音の発生を確実に回避することができる。
【００５７】
尚、本実施の形態においては、エンジンの吸気側と排気側とにそれぞれ可変バルブタイミング機構を備えているが、本発明は、これに限定されるものではなく、吸気側と排気側との何れか一方に可変バルブタイミング機構を備えるエンジンにも適用可能である。
【符号の説明】
【００５８】
１  エンジン
２  変速機
５０  可変バルブタイミング機構
１００  エンジン制御ユニット
１０１  騒音発生領域判断部
１０２  バルブタイミング制限部
１５０  変速機制御ユニット
１５１  バルブタイミング追従判断部
１５２  変速ディレイ部
Ｎｅ  エンジン回転数
Ｑａ  吸入空気量
ＶＴＧex  排気側ガード値
ＶＴＧin  吸気側ガード値
【図１】
2013185464.tif 000003
【図２】
2013185464.tif 000004
【図３】
2013185464.tif 000005
【図４】
2013185464.tif 000006
【図５】
2013185464.tif 000007
【図６】
2013185464.tif 000008
【図７】
2013185464.tif 000009
【図８】
2013185464.tif 000010
【図９】
2013185464.tif 000011